(57)【要約】【課題】  画像データを構成する各色版の色名称と、各色版の色名称とこれに対応する出力制御値とが対応付けられたテーブルの各色版の色名称との照合を行う際に、画像データを構成する各色版の色名称の文字列に欠落が生じていた場合であっても、当該色名称に対応するテーブルを特定して、適切に画像出力処理を継続することを可能にする。【解決手段】  出力ジョブ指定部１１により、格納部１０に格納される画像データ群の中から出力する画像データが指定されると、色名称照合部１４は、指定された画像データに記述される当該画像データを構成する各色版の色名称の文字列と、色名称記憶部１３ａに記憶された各色版の正式な色名称の文字列から照合対象外文字設定部１５により予め設定された文字を除外した文字列とを照合して、それらが一致した正式な色名称に対応するカラーコレクションテーブルをカラーコレクションテーブル記憶部１３から抽出する。【選択図】  図２
2005092663.tif 000002
【特許請求の範囲】
【請求項１】
画像データに基づく画像を露光条件に関する出力制御情報に従って露光して出力する画像出力装置と、外部装置から受信した画像データに前記出力制御情報を付加して、前記画像出力装置へ送信する制御装置と、を含む画像出力システムであって、
前記制御装置は、
画像データを構成する各色版の色名称とそれらに対応する出力制御値とを対応付けたテーブルを複数記憶する記憶手段と、
前記受信した画像データから当該画像データを構成する各色版の色名称を取得する取得手段と、
前記記憶手段に記憶された複数のテーブルの各色版の色名称の文字列と、前記取得された画像データを構成する各色版の色名称の文字列との照合において、その照合の対象外とする文字を設定するための設定手段と、
前記記憶手段に記憶された複数のテーブルの各色版の色名称の文字列と、前記取得された画像データを構成する各色版の色名称の文字列から前記設定された照合の対象外とする文字を除外した文字列とを照合する照合手段と、
前記照合において、互いの文字列に一致するものがあった場合に、該当するテーブルを前記出力制御情報として前記受信した画像データに付加して、前記画像出力装置へ送信する出力装置制御手段と、を備えたことを特徴とする画像出力システム。
【請求項２】
画像データに基づく画像を露光条件に関する出力制御情報に従って露光して出力する画像出力装置と、外部装置から受信した画像データに前記出力制御情報を付加して、前記画像出力装置へ送信する制御装置と、を含む画像出力システムであって、
前記制御装置は、
画像データを構成する各色版の色名称とそれらに対応する出力制御値とを対応付けたテーブルを複数記憶する記憶手段と、
前記受信した画像データから当該画像データを構成する各色版の色名称を取得する取得手段と、
前記記憶手段に記憶された複数のテーブルの各色版の色名称の文字列と、前記取得された画像データを構成する各色版の色名称の文字列との照合において、その照合の対象外とする文字を設定するための設定手段と、
前記記憶手段に記憶された複数のテーブルの各色版の色名称の文字列と、前記取得された画像データを構成する各色版の色名称の文字列とを照合した上で、互いの文字列に一致するものがなかった場合に、前記記憶手段に記憶された複数のテーブルの各色版の色名称の文字列と、前記取得された画像データを構成する各色版の色名称の文字列から前記設定された照合の対象外とする文字を除外した文字列とを照合する照合手段と、
前記照合手段による照合の各々において、互いの文字列に一致するものがあった場合に、該当するテーブルを前記出力制御情報として前記受信した画像データに付加して、前記画像出力装置へ送信する出力装置制御手段と、を備えたことを特徴とする画像出力システム。
【請求項３】
前記記憶手段に記憶された複数のテーブルの各色版の色名称は、正式名称であり、前記照合される各色版の色名称の文字列は、特色版の色名称の文字列であることを特徴とする請求項１又は請求項２に記載の画像出力システム。
【請求項４】
画像データに基づく画像を露光条件に関する出力制御情報に従って露光して出力する画像出力装置に対して、外部装置から受信した画像データに前記出力制御情報を付加して送信する制御装置であって、
画像データを構成する各色版の色名称とそれらに対応する出力制御値とを対応付けたテーブルを複数記憶する記憶手段と、
前記受信した画像データから当該画像データを構成する各色版の色名称を取得する取得手段と、
前記記憶手段に記憶された複数のテーブルの各色版の色名称の文字列と、前記取得された画像データを構成する各色版の色名称の文字列との照合において、その照合の対象外とする文字を設定するための設定手段と、
前記記憶手段に記憶された複数のテーブルの各色版の色名称の文字列と、前記取得された画像データを構成する各色版の色名称の文字列から前記設定された照合の対象外とする文字を除外した文字列とを照合する照合手段と、
前記照合において、互いの文字列に一致するものがあった場合に、該当するテーブルを前記出力制御情報として前記受信した画像データに付加して、前記画像出力装置へ送信する出力装置制御手段と、を備えたことを特徴とする制御装置。
【請求項５】
画像データに基づく画像を露光条件に関する出力制御情報に従って露光して出力する画像出力装置に対して、外部装置から受信した画像データに前記出力制御情報を付加して送信する制御装置であって、
画像データを構成する各色版の色名称とそれらに対応する出力制御値とを対応付けたテーブルを複数記憶する記憶手段と、
前記受信した画像データから当該画像データを構成する各色版の色名称を取得する取得手段と、
前記記憶手段に記憶された複数のテーブルの各色版の色名称の文字列と、前記取得された画像データを構成する各色版の色名称の文字列との照合において、その照合の対象外とする文字を設定するための設定手段と、
前記記憶手段に記憶された複数のテーブルの各色版の色名称の文字列と、前記取得された画像データを構成する各色版の色名称の文字列とを照合した上で、互いの文字列に一致するものがなかった場合に、前記記憶手段に記憶された複数のテーブルの各色版の色名称の文字列と、前記取得された画像データを構成する各色版の色名称の文字列から前記設定された照合の対象外とする文字を除外した文字列とを照合する照合手段と、
前記照合手段による照合の各々において、互いの文字列に一致するものがあった場合に、該当するテーブルを前記出力制御情報として前記受信した画像データに付加して、前記画像出力装置へ送信する出力装置制御手段と、を備えたことを特徴とする制御装置。
【請求項６】
前記記憶手段に記憶された複数のテーブルの各色版の色名称は、正式名称であり、前記照合される各色版の色名称の文字列は、特色版の色名称の文字列であることを特徴とする請求項４又は請求項５に記載の制御装置。
【請求項７】
画像データに基づく画像を露光条件に関する出力制御情報に従って露光して出力する画像出力装置に対して、外部装置から受信した画像データに前記出力制御情報を付加して送信する制御装置において行われる画像出力方法であって、
画像データを構成する各色版の色名称とそれらに対応する出力制御値とを対応付けたテーブルを複数記憶する記憶ステップと、
前記受信した画像データから当該画像データを構成する各色版の色名称を取得する取得ステップと、
前記記憶された複数のテーブルの各色版の色名称の文字列と、前記取得された画像データを構成する各色版の色名称の文字列との照合において、その照合の対象外とする文字を設定するための設定画面を表示する設定画面表示ステップと、
前記記憶された複数のテーブルの各色版の色名称の文字列と、前記取得された画像データを構成する各色版の色名称の文字列から前記設定画面において設定された照合の対象外とする文字を除外した文字列とを照合する照合ステップと、
前記照合において、互いの文字列に一致するものがあった場合に、該当するテーブルを前記出力制御情報として前記受信した画像データに付加して、前記画像出力装置へ送信する出力装置制御ステップと、を含むことを特徴とする画像出力方法。
【請求項８】
画像データに基づく画像を露光条件に関する出力制御情報に従って露光して出力する画像出力装置に対して、外部装置から受信した画像データに前記出力制御情報を付加して送信する制御装置において行われる画像出力方法であって、
画像データを構成する各色版の色名称とそれらに対応する出力制御値とを対応付けたテーブルを複数記憶する記憶ステップと、
前記受信した画像データから当該画像データを構成する各色版の色名称を取得する取得ステップと、
前記記憶された複数のテーブルの各色版の色名称の文字列と、前記取得された画像データを構成する各色版の色名称の文字列との照合において、その照合の対象外とする文字を設定するための設定画面を表示する設定画面表示ステップと、
前記記憶された複数のテーブルの各色版の色名称の文字列と、前記取得された画像データを構成する各色版の色名称の文字列とを照合した上で、互いの文字列に一致するものがなかった場合に、前記記憶された複数のテーブルの各色版の色名称の文字列と、前記取得された画像データを構成する各色版の色名称の文字列から前記設定画面において設定された照合の対象外とする文字を除外した文字列とを照合する照合ステップと、
前記照合の各々において、互いの文字列に一致するものがあった場合に、該当するテーブルを前記出力制御情報として前記受信した画像データに付加して、前記画像出力装置へ送信する出力装置制御ステップと、を含むことを特徴とする画像出力方法。
【請求項９】
前記記憶された複数のテーブルの各色版の色名称は、正式名称であり、前記照合される各色版の色名称の文字列は、特色版の色名称の文字列であることを特徴とする請求項７又は請求項８に記載の画像出力方法。
【請求項１０】
請求項７乃至請求項９の何れか一項に記載の画像出力方法を前記制御装置のコンピュータにおいて実行させることを特徴とするプログラム。
【請求項１１】
請求項１０記載のプログラムを前記制御装置のコンピュータにより読み出し可能に記憶したことを特徴とする記憶媒体。
【発明の詳細な説明】
【技術分野】
【０００１】
本発明は、画像データを構成する各色版の色名称に基づいて、各色版の色名称とそれらに対応する出力制御値とを対応付けたテーブルを特定して、当該テーブルに従って感光材料を露光することで画像データに基づく画像を出力する画像出力システム、制御装置、画像出力装置、画像出力方法、その方法を実行させるためのプログラム、及び、そのプログラムを記憶した記憶媒体に関し、特に、画像データを構成する各色版の色名称と、各色版の色名称とそれらに対応する出力制御値とを対応付けたテーブルとを適切に対応付ける技術に関する。
【背景技術】
【０００２】
従来から、印刷機により印刷される印刷物の仕上がりを事前にシミュレートする目的で、カラープルーフを作成するＤＣＰ（Ｄｉｇｉｔａｌ  Ｃｏｌｏｒ  Ｐｒｏｏｆ）作成装置が提案されている。このようなＤＣＰ作成装置の中には、制御装置より受信した色版毎の網点画像データに基づいて、感光材料に、例えばＲ（レッド）／Ｇ（グリーン）／Ｂ（ブルー）等の波長の異なる複数の光の組み合わせから成る光点を露光して、Ｙ（イエロー）／Ｍ（マゼンタ）／Ｃ（シアン）／ＢＫ（ブラック）等の各色を発色させるものがある。
【０００３】
このＤＣＰ作成装置においては、予め、感光材料に表現するＹ／Ｍ／Ｃ／ＢＫ等の各色版と、当該装置の露光光源の各色であるＲ／Ｇ／Ｂの出力制御値（光量値）とを対応付けたルックアップテーブル（以下、カラーコレクションテーブルと称する）が複数記憶されており、制御装置より色版毎の網点画像データを受信した場合には、例えば、作業者が、その画像データを構成する各色版の色名称と、これらのカラーコレクションテーブルを構成する各色版の色名称とを照合して、それらが一致したカラーコレクションテーブルを指定することで、当該ＤＣＰ作成装置においては、指定されたカラーコレクションテーブルに従って露光を行い、各色を発色させて、感光材料上に各色の網点画像データが重ね合わされた画像を出力することになっている（例えば、特許文献１参照）。
【０００４】
また、この他にも、例えば、制御装置において、外部装置から受信した画像データの当該画像データを構成する各色版の色名称と、カラーコレクションテーブルを構成する各色版の色名称との照合を行い、それらが一致したカラーコレクションテーブルを当該画像データと共に送信することで、当該ＤＣＰ作成装置においては、送信されたカラーコレクションテーブルに従って露光を行い、各色を発色させて、感光材料上に各色の網点画像データが重ね合わされた画像を出力するものがある。
【０００５】
【特許文献１】特開平１１‐２０５６２２号公報（段落〔００２０〕‐〔００８８〕、第１図乃至第１９図）
【発明の開示】
【発明が解決しようとする課題】
【０００６】
しかしながら、制御装置が受信する画像データは、多種多様の外部装置において作成されることから、これら外部装置と制御装置とのシステム上の都合によっては、当該画像データに記述される各色版の色名称の文字列に特定の文字を使用することができない等の不都合が生じる場合があった。特に、特色版の色名称においては、例えば「ＤＣＣ＿１８ｐ＊」のように“＿（スペース）”のような空白や、“＊”のような文字（本発明に係る文字は、これら空白や符号を含む）が含まれることが多いが、これらの文字を使用することができない場合があった。
【０００７】
このようなことから各色版の色名称に欠落が生じてしまうと、制御装置においては、画像データを構成する各色版の色名称の文字列と、カラーコレクションテーブルを構成する各色版の色名称の文字列との照合を行った場合に、それらの文字列が一致するカラーコレクションテーブルが存在しないことになるため、画像データを構成する各色版を出力するためのカラーコレクションテーブルを特定することができず、画像出力処理を中断せざるを得ない状況となる。
【０００８】
そこで、制御装置においては、例えば、予め、各色版の色名称に欠落が生じてしまうことを見越した複数の色名称を用意して、それらの色名称とカラーコレクションテーブルとを対応付けておくことが考えられるが、特色版の色名称の数は、数千個にも及ぶため、その２倍、３倍の数の色名称を用意しておくことは、それらの照合処理を行う際の負荷を想定するに、非常に現実的でない。
【０００９】
本発明は、このような状況を鑑みてなされたものであり、その目的とするところは、画像データを構成する各色版の色名称と、カラーコレクションテーブルを構成する各色版の色名称との照合を行う際に、画像データを構成する各色版の色名称の文字列に欠落が生じていた場合であっても、予め照合の対象外となる文字を設定しておくことで、その文字を除外した照合を行い、画像データを構成する各色版を出力するためのカラーコレクションテーブルを特定して、適切に画像出力処理を継続することを可能にする画像出力システム、制御装置、画像出力方法、その方法を実行させるためのプログラム、及び、そのプログラムを記憶した記憶媒体を提供することにある。
【課題を解決するための手段】
【００１０】
上記課題を解決するために、請求項１記載の発明は、画像データに基づく画像を露光条件に関する出力制御情報に従って露光して出力する画像出力装置と、外部装置から受信した画像データに前記出力制御情報を付加して、前記画像出力装置へ送信する制御装置と、を含む画像出力システムであって、前記制御装置は、画像データを構成する各色版の色名称とそれらに対応する出力制御値とを対応付けたテーブルを複数記憶する記憶手段と、前記受信した画像データから当該画像データを構成する各色版の色名称を取得する取得手段と、前記記憶手段に記憶された複数のテーブルの各色版の色名称の文字列と、前記取得された画像データを構成する各色版の色名称の文字列との照合において、その照合の対象外とする文字を設定するための設定手段と、前記記憶手段に記憶された複数のテーブルの各色版の色名称の文字列と、前記取得された画像データを構成する各色版の色名称の文字列から前記設定された照合の対象外とする文字を除外した文字列とを照合する照合手段と、前記照合において、互いの文字列に一致するものがあった場合に、該当するテーブルを前記出力制御情報として前記受信した画像データに付加して、前記画像出力装置へ送信する出力装置制御手段と、を備えたことを特徴とする。
【００１１】
上記課題を解決するために、請求項２記載の発明は、画像データに基づく画像を露光条件に関する出力制御情報に従って露光して出力する画像出力装置と、外部装置から受信した画像データに前記出力制御情報を付加して、前記画像出力装置へ送信する制御装置と、を含む画像出力システムであって、前記制御装置は、画像データを構成する各色版の色名称とそれらに対応する出力制御値とを対応付けたテーブルを複数記憶する記憶手段と、前記受信した画像データから当該画像データを構成する各色版の色名称を取得する取得手段と、前記記憶手段に記憶された複数のテーブルの各色版の色名称の文字列と、前記取得された画像データを構成する各色版の色名称の文字列との照合において、その照合の対象外とする文字を設定するための設定手段と、前記記憶手段に記憶された複数のテーブルの各色版の色名称の文字列と、前記取得された画像データを構成する各色版の色名称の文字列とを照合した上で、互いの文字列に一致するものがなかった場合に、前記記憶手段に記憶された複数のテーブルの各色版の色名称の文字列と、前記取得された画像データを構成する各色版の色名称の文字列から前記設定された照合の対象外とする文字を除外した文字列とを照合する照合手段と、前記照合手段による照合の各々において、互いの文字列に一致するものがあった場合に、該当するテーブルを前記出力制御情報として前記受信した画像データに付加して、前記画像出力装置へ送信する出力装置制御手段と、を備えたことを特徴とする。
【００１２】
上記課題を解決するために、請求項４記載の発明は、画像データに基づく画像を露光条件に関する出力制御情報に従って露光して出力する画像出力装置に対して、外部装置から受信した画像データに前記出力制御情報を付加して送信する制御装置であって、画像データを構成する各色版の色名称とそれらに対応する出力制御値とを対応付けたテーブルを複数記憶する記憶手段と、前記受信した画像データから当該画像データを構成する各色版の色名称を取得する取得手段と、前記記憶手段に記憶された複数のテーブルの各色版の色名称の文字列と、前記取得された画像データを構成する各色版の色名称の文字列との照合において、その照合の対象外とする文字を設定するための設定手段と、前記記憶手段に記憶された複数のテーブルの各色版の色名称の文字列と、前記取得された画像データを構成する各色版の色名称の文字列から前記設定された照合の対象外とする文字を除外した文字列とを照合する照合手段と、前記照合において、互いの文字列に一致するものがあった場合に、該当するテーブルを前記出力制御情報として前記受信した画像データに付加して、前記画像出力装置へ送信する出力装置制御手段と、を備えたことを特徴とする。
【００１３】
上記課題を解決するために、請求項５記載の発明は、画像データに基づく画像を露光条件に関する出力制御情報に従って露光して出力する画像出力装置に対して、外部装置から受信した画像データに前記出力制御情報を付加して送信する制御装置であって、画像データを構成する各色版の色名称とそれらに対応する出力制御値とを対応付けたテーブルを複数記憶する記憶手段と、前記受信した画像データから当該画像データを構成する各色版の色名称を取得する取得手段と、前記記憶手段に記憶された複数のテーブルの各色版の色名称の文字列と、前記取得された画像データを構成する各色版の色名称の文字列との照合において、その照合の対象外とする文字を設定するための設定手段と、前記記憶手段に記憶された複数のテーブルの各色版の色名称の文字列と、前記取得された画像データを構成する各色版の色名称の文字列とを照合した上で、互いの文字列に一致するものがなかった場合に、前記記憶手段に記憶された複数のテーブルの各色版の色名称の文字列と、前記取得された画像データを構成する各色版の色名称の文字列から前記設定された照合の対象外とする文字を除外した文字列とを照合する照合手段と、前記照合手段による照合の各々において、互いの文字列に一致するものがあった場合に、該当するテーブルを前記出力制御情報として前記受信した画像データに付加して、前記画像出力装置へ送信する出力装置制御手段と、を備えたことを特徴とする。
【００１４】
上記課題を解決するために、請求項７記載の発明は、画像データに基づく画像を露光条件に関する出力制御情報に従って露光して出力する画像出力装置に対して、外部装置から受信した画像データに前記出力制御情報を付加して送信する制御装置において行われる画像出力方法であって、画像データを構成する各色版の色名称とそれらに対応する出力制御値とを対応付けたテーブルを複数記憶する記憶ステップと、前記受信した画像データから当該画像データを構成する各色版の色名称を取得する取得ステップと、前記記憶された複数のテーブルの各色版の色名称の文字列と、前記取得された画像データを構成する各色版の色名称の文字列との照合において、その照合の対象外とする文字を設定するための設定画面を表示する設定画面表示ステップと、前記記憶された複数のテーブルの各色版の色名称の文字列と、前記取得された画像データを構成する各色版の色名称の文字列から前記設定画面において設定された照合の対象外とする文字を除外した文字列とを照合する照合ステップと、前記照合において、互いの文字列に一致するものがあった場合に、該当するテーブルを前記出力制御情報として前記受信した画像データに付加して、前記画像出力装置へ送信する出力装置制御ステップと、を含むことを特徴とする。
【００１５】
上記課題を解決するために、請求項８記載の発明は、画像データに基づく画像を露光条件に関する出力制御情報に従って露光して出力する画像出力装置に対して、外部装置から受信した画像データに前記出力制御情報を付加して送信する制御装置において行われる画像出力方法であって、画像データを構成する各色版の色名称とそれらに対応する出力制御値とを対応付けたテーブルを複数記憶する記憶ステップと、前記受信した画像データから当該画像データを構成する各色版の色名称を取得する取得ステップと、前記記憶された複数のテーブルの各色版の色名称の文字列と、前記取得された画像データを構成する各色版の色名称の文字列との照合において、その照合の対象外とする文字を設定するための設定画面を表示する設定画面表示ステップと、前記記憶された複数のテーブルの各色版の色名称の文字列と、前記取得された画像データを構成する各色版の色名称の文字列とを照合した上で、互いの文字列に一致するものがなかった場合に、前記記憶された複数のテーブルの各色版の色名称の文字列と、前記取得された画像データを構成する各色版の色名称の文字列から前記設定画面において設定された照合の対象外とする文字を除外した文字列とを照合する照合ステップと、前記照合の各々において、互いの文字列に一致するものがあった場合に、該当するテーブルを前記出力制御情報として前記受信した画像データに付加して、前記画像出力装置へ送信する出力装置制御ステップと、を含むことを特徴とする。
【００１６】
上記課題を解決するために、請求項１０記載の発明は、請求項７乃至請求項９の何れか一項に記載の画像出力方法を前記制御装置のコンピュータにおいて実行させることを特徴とする。
【００１７】
上記課題を解決するために、請求項１１記載の発明は、請求項１０記載のプログラムを前記制御装置のコンピュータにより読み出し可能に記憶したことを特徴とする。
【発明の効果】
【００１８】
本発明に係る画像出力システム、制御装置、画像出力方法、その方法を実行させるためのプログラム、及び、そのプログラムを記憶した記憶媒体によれば、画像データを構成する各色版の色名称と、カラーコレクションテーブルを構成する各色版の色名称との照合を行う際に、画像データを構成する各色版の色名称の文字列に欠落が生じていた場合であっても、予め照合の対象外となる文字を設定しておくことで、その文字を除外した照合を行うので、画像データを構成する各色版を出力するためのカラーコレクションテーブルを特定することができ、適切に画像出力処理を継続することができる。
【発明を実施するための最良の形態】
【００１９】
以下、本発明に係る画像出力システム、制御装置、画像出力方法、その方法を実行させるためのプログラム、及び、そのプログラムを記憶した記憶媒体の一実施形態について、図面を参照しながら詳細に説明する。
【００２０】
［画像出力システム］
まず、本実施形態における画像出力システムのシステム構成及び概略動作について、図１を参照しつつ説明する。
【００２１】
＜システム構成＞
図１に示すように、当該画像出力システムは、外部装置である画像データ編集端末３やＲＩＰ（Ｒａｓｔｅｒ・Ｉｍａｇｅ・Ｐｒｏｃｅｓｓｏｒ）４から送信された画像データに対して所定の解析加工処理を施した後、これを出力制御情報（後述するカラーコレクションテーブルに関する情報等）と共に画像出力装置であるＤＣＰ作成装置２に送信する制御装置１と、この制御装置１から送信されたラスター画像データに基づく画像を、送信された出力制御情報に従って出力するＤＣＰ作成装置２とから構成されている。尚、これらはネットワークＮを介して互いに接続されている。因みに、ＲＩＰ４は、制御装置１に組み込まれた構成としても良く、また、ＤＣＰ作成装置２は、複数台が設けられることにしても良い。
【００２２】
制御装置１及び画像データ編集端末３は、各々、コンピュータ端末として動作するものであって、制御装置１は、コンピュータ本体、キーボードやマウス等の操作部、モニタ等の表示部を備え、コンピュータ本体には、後述する種々の処理を実行する所定の動作プログラムが組み込まれている。また、画像データ編集端末３は、コンピュータ本体、キーボードやマウス等の操作部、モニタ等の表示部、イメージスキャナ等の必要な画像入力部等を備えている。
【００２３】
＜概略動作＞
このような構成において、制御装置１は、画像データ編集端末３やＲＩＰ４から送信された画像データを解析して、必要に応じて、これに所定の出力条件、例えば当該画像データを網点化する際の解像度や、当該画像データを網点化する際のスクリーニングの種別等）に従って網点化処理を施し、その網点化された画像データを出力制御情報と共にＤＣＰ作成装置２に送信する。尚、出力条件は、制御装置１において画像データを加工する際に反映させる他にも、ＤＣＰ作成装置２に出力条件を通知して、当該ＤＣＰ作成装置２においてその設定を反映させる方法がある。網点画像データが送信されたＤＣＰ作成装置２は、送信された出力制御情報に従って、その網点画像データに基づく画像を出力する。これにより、所定のカラープルーフが作成される。
【００２４】
［制御装置］
次に、当該画像出力システムを構成する制御装置１の詳細構成及び詳細動作について、図２、図３及び図６を参照しつつ、図４及び図５に示すフローチャートの流れに沿って説明する。
【００２５】
＜詳細構成＞
図２に示すように、制御装置１は、画像データ編集端末３やＲＩＰ４から送信された画像データを受信して、これを格納する格納部１０と、この格納部１０に格納された画像データ群の中から出力する画像データを指定するための出力ジョブ指定部１１と、カラーコレクションテーブルを作成するための手段であり、カラーコレクションテーブルを構成する各色版の色名称を登録するための色名称登録部１２ａを有するカラーコレクション作成部１２と、この色名称登録部１２ａにより登録された各色版の色名称を記憶する色名称記憶部１３ａを有し、これに対応付けてカラーコレクション作成部１２により作成されたカラーコレクションテーブルを記憶するカラーコレクションテーブル記憶部１３と、出力ジョブ指定部１１により指定された画像データを構成する各色版の色名称と、色名称記憶部１３ａに記憶された各色版の色名称とを照合して、互いの色名称が一致するカラーコレクションテーブルをカラーコレクションテーブル記憶部１３から抽出する色名称照合部１４と、この色名称照合部１４による照合において、その対象外とする文字を設定するための照合対象外文字設定部１５と、出力ジョブ指定部１１により指定された画像データを解析して、必要に応じてこれを網点化する処理を施すことで、色版別の網点画像データを生成（出力）する画像データ解析加工部１６と、この画像データ解析加工部１６から出力された色版別の網点画像データと、色名称照合部１４により抽出されたカラーコレクションテーブルとを出力指示信号と共にＤＣＰ作成装置２に送信するＤＣＰ作成装置制御部１７とから構成されている。
【００２６】
＜詳細動作＞
このような構成において、作業者は、まず事前準備として、カラーコレクションテーブル作成部１２により、必要なカラーコレクションテーブルを作成する操作を行う。ここで、カラーコレクションテーブル作成部１２は、ＣＰＵ等の演算手段と、所定の演算プログラムを記憶するメモリ等の記憶手段からなり、カラーコレクションテーブルテーブルを作成するための画面を表示する処理、カラーコレクションテーブルを作成、登録する処理等を行う。また、色名称登録部１２ａは、ＣＰＵ等の演算手段と、所定の演算プログラムを記憶するメモリ等の記憶手段からなり、カラーコレクションテーブル作成部１２により作成されたカラーコレクションテーブルが対象とする各色版の色名称を登録するための画面を表示する処理、そのカラーコレクションテーブルが対象とする各色版の色名称を登録する処理等を行う。尚、後述する種々の操作は、操作部の操作により行われる。また、後述する種々の画面は、表示部において表示される。
【００２７】
表示部は、通常、当該制御装置１の処理状況等を示すメイン画面を表示する。作業者は、このメイン画面において、操作部の操作により、所定の項目を選択することで、カラーコレクションテーブルを作成するための画面であるカラーコレクションテーブル作成画面を表示する。
【００２８】
作業者は、このカラーコレクションテーブル作成画面において、感光材料に表現するＹ／Ｍ／Ｃ／Ｂ（Ｍ＋Ｃ）／Ｇ（Ｙ＋Ｃ）／Ｒ（Ｙ＋Ｍ）／ＢＫ等の各色版と、これに対応するＤＣＰ作成装置２の露光光源の各色であるＢ／Ｇ／Ｒの出力制御値（光量値）を入力することで、例えば、図３に示すようなカラーコレクションテーブルＣＣを作成する。これによりカラーコレクションテーブルの登録が行われ、作成されたカラーコレクションテーブルは、カラーコレクションテーブル記憶部１３に記憶される（記憶ステップ；Ｓ０１）。尚、上述のカラーコレクション作成画面は、従来における場合と同様であるため、その画面構成については省略する。
【００２９】
作業者は、ここで、このカラーコレクションテーブル作成画面において、操作部の操作により、所定の項目を選択することで、当該カラーコレクションテーブルが対象とする各色版の色名称を登録するための画面である色名称登録画面を表示する。
【００３０】
作業者は、この色名称登録画面において、操作部の操作により、例えば“Ｃｙａｎ”、“Ｍａｇｅｎｔａ”、“Ｙｅｌｌｏｗ”、“Ｂｌａｃｋ”、“ＤＣＣ＿４２３＊”、“ＤＣＣ＿３７６＊”と各色版の正式な色名称（その文字列に欠落等が生じていない正しい名称）を入力する。これにより作成されたカラーコレクションテーブルが対象とする各色版の色名称の登録が行われ、入力された各色版の正式な色名称は、色名称記憶部１３ａに記憶される（記憶ステップ；Ｓ０２）。
【００３１】
このような作業が繰り返されることにより、必要なカラーコレクションテーブルの作成、登録、及び、それらのカラーコレクションテーブルが対象とする各色版の正式な色名称の登録が行われる（Ｓ０３、ＹＥＳ）。
【００３２】
作業者は、次に、照合対象外文字設定部１５により表示部において表示される色名称照合部１４による照合の対象外とする文字を設定するための画面である照合対象外文字設定画面において（設定画面表示ステップ）、操作部の操作により、後述する色名称照合部１４による照合において、その照合の対象外とする文字を設定する（Ｓ０４）。ここで、照合対象外文字設定部１５は、ＣＰＵ等の演算手段と、所定の演算プログラムを記憶するメモリ等の記憶手段からなり、上述した照合対象外文字設定画面を表示する処理、その照合の対象外とする文字を設定する処理等を行う。尚、この照合の対象外とする文字は、画像編集端末３やＲＩＰ４と当該制御装置１とのシステム上の都合により欠落することが予想される文字であり、その具体例としては、特色の色名称に用いられる“＿（スペース）”や“＊”等が挙げられる。
【００３３】
このような事前準備が行われた上で、画像データ編集端末３やＲＩＰ４から画像データが送信されると、図５に示すように、これを受けて格納部１０は、その画像データを格納する（Ｓ０５）。ここで、格納部１０は、メモリ等の記憶手段からなる。尚、この画像データには、当該画像データを構成する各色版の色名称に関する情報が記述されており、後述するように、色名称照合部１４は、この記述情報から当該画像データを構成する各色版の色名称を取得する。
【００３４】
ここで、作業者が所望の画像データを出力するべく、出力ジョブ指定部１１により表示される指定画面において、操作部の操作により、格納部１０に格納される画像データ群の中から出力する画像データを指定すると、色名称照合部１４は、その指定された画像データを構成する各色の色名称を、格納部１０に格納された当該画像データの付加情報から取得する（取得ステップ；Ｓ０６）。ここで、出力ジョブ指定部１１は、ＣＰＵ等の演算手段と、所定の演算プログラムを記憶するメモリ等の記憶手段からなり、上述の指定画面を表示する処理、指定された画像データの出力処理を開始する処理等を行う。
【００３５】
図６に、上述した指定画面や照合対象外文字設定画面の具体例であるジョブ登録画面５０を示す。図６に示すように、当該ジョブ登録画面５０は、格納部１０に格納された画像データ群の名称を、例えば当該画像データを構成する色版毎に一覧表示するジョブ項目５０ａと、色名称照合部１４が格納部１０に格納された当該画像データの記述情報から取得し、且つ、作業者が操作部の操作により指定した画像データを構成する各色版の色名称を表示する版種識別項目５０ｂと、色名称記憶部１３ａに記憶された各色版の正式な色名称を表示する色の組み合わせ項目５０ｃと、照合対象外文字設定部１５により設定された文字を表示する比較対照外文字項目５０ｄ等から構成されている。尚、格納部１０に格納される画像データには、所定の規約に従って、当該画像データのジョブ名称、色版名称、データ種別の順にその情報が記述されており、後述するように、色名称照合部１４は、当該情報をその都度取得することで、ジョブ項目５０ａに、それらの全て（例えば、Ｋｏｎｉｋａ、ＤＣＣ３７６、ｔｉｆ等）を表示し、版種識別項目５０ｂに、その中から色版名称（例えば、ＤＣＣ３７６）だけを抽出して表示する。因みに、当該ジョブ登録画面５０においては、特色である“ＤＣＣ＿４２３＊”と、“ＤＣＣ＿３７６＊”が照合の対象となっている。
【００３６】
このような構成において、作業者が操作部の操作により、ジョブ項目５０ａに一覧表示される画像データ群の中から出力する画像データを指定すると、色名称照合部１４は、指定された画像データを構成する各色版の色名称を格納部１０に格納された当該画像データの記述情報から取得し、これを版種識別項目５０ｂにおいて表示し、また、これに対応する各色版の色名称を色名称記憶部１３ａから読み出して、これを色の組み合わせ項目５０ｃにおいて表示すると共に、これら指定された画像データを構成する各色版の色名称の文字列と、色名称記憶部１３ａに記憶された各色版の正式な色名称の文字列とを照合して（照合ステップ；Ｓ０７）、それらが一致するものがあった場合には（Ｓ０８、ＹＥＳ）、一致した各色版の正式な色名称に対応するカラーコレクションテーブルをカラーコレクションテーブル記憶部１３から抽出する（Ｓ１１）。
【００３７】
因みに、図６に示すジョブ登録画面５０においては、指定された画像データを構成する特色版の色名称が“＿（スペース）”と“＊”が欠落した“ＤＣＣ４２３”、“ＤＣＣ３７６”であるのに対して、色名称記憶部１３ａに記憶された特色版の正式な色名称が“ＤＣＣ＿４２３＊”、“ＤＣＣ＿３７６＊”であることから、これら特色版においては、一致するものはない。
【００３８】
ここで、一致するものがなかった場合には（Ｓ０８、ＮＯ）、色名称照合部１４は、その指定された画像データを構成する各色の色名称の文字列から、照合対象外文字設定部１５により設定された文字を除外した文字列と、色名称記憶部１３ａに記憶された各色の正式な色名称の文字列の各々とを照合する（照合ステップ；Ｓ０９）。
【００３９】
因みに、図６に示すジョブ登録画面５０においては、照合対象外と設定された文字が、“＊”、“＿（スペース）”となっていることから、指定された画像データを構成する特色版の色名称である“ＤＣＣ４２３”、“ＤＣＣ３７６”と、色名称記憶部１３ａに記憶された特色版の正式な色名称である“ＤＣＣ＿４２３＊”、“ＤＣＣ＿３７６＊”からこれらの文字“＊”、“＿（スペース）”を除外した文字列とを照合した場合には、これらは各々一致することになる。
【００４０】
このように、色名称照合部１４においては、指定された画像データを構成する各色版の色名称と、色名称記憶部１３ａに記憶された各色版の正式な色名称との照合を行う際に、予め照合の対象外となる文字が設定されることで、その文字を除外した照合を行うので、画像データを構成する各色版の色名称の文字列に欠落が生じていた場合であっても、画像データを構成する各色版を出力するためのカラーコレクションテーブルを特定することができ、適切に画像出力処理を継続することができる。
【００４１】
説明に戻って、ここで、一致するものがあった場合には（Ｓ１０、ＹＥＳ）、一致した各色版の正式な色名称に対応するカラーコレクションテーブルをカラーコレクションテーブル記憶部１３から抽出する（Ｓ１１）。ここで、一致するものがなかった場合には（Ｓ１０、ＮＯ）、表示部においてエラー表示を行う（Ｓ１２）。一方、画像データ解析加工部１６は、出力ジョブ指定部１１により指定された画像データを解析して、必要に応じて、これに網点化する処理を施すことで、色版別の網点画像データを作成する（Ｓ１３）。ここで、色名称照合部１４は、ＣＰＵ等の演算手段と、所定の演算プログラムを記憶するメモリ等の記憶手段からなり、上述した各色版の色名称を照合する処理、一致した各色版の正式な色名称に対応するカラーコレクションテーブルを抽出する処理等を行う。また、画像データ解析加工部１６は、ＣＰＵ等の演算手段と、所定の演算プログラムを記憶するメモリ等の記憶手段からなり、上述した画像データの種別を解析する処理、必要に応じてこれを網点化する処理等を行う。
【００４２】
ＤＣＰ作成装置制御部１７は、色名称照合部１４から出力されたカラーコレクションテーブルと、画像データ解析加工部１５から出力された色版別の網点画像データを出力指示信号と共にＤＣＰ作成装置２に送信する（出力装置制御ステップ；Ｓ１４）。
【００４３】
［ＤＣＰ作成装置］
次に、当該画像出力システムを構成するＤＣＰ作成装置２の詳細構成及び詳細動作について、図７及び図８を参照しつつ説明する。
【００４４】
＜詳細構成＞
図７に示すように、ＤＣＰ作成装置２は、主に、感光材料上に画像を露光するための露光部２０と、露光された感光材料を現像処理するための処理部２１とから構成されている。
【００４５】
露光部２０は、外部に開閉可能な上面パネル２２及び前面パネル２３を有し、当該露光部２０のメンテナンスは、これらのパネルを開いて行う。また、ロールセット部２４は、ロール状に巻回された感光材料を収容したカートリッジを装填する部分であり、装置本体の上部に設けられている。尚、カートリッジの装填は、給紙カバー２５を開閉して行う。因みに、本実施形態のロールセット部２４は、単数であるが、複数設けられても良い。
【００４６】
ロールセット部２４の手前側には、タッチパネル２７と液晶パネル２６から成る操作部が設けられている。タッチパネル２７は、液晶パネル２６の上面に重ねて設けられている。液晶パネル２６には、後述する制御部１００の制御により、作業者に入力を求める入力指示情報や装置の状態を示す装置状態情報等を表示する。一方、タッチパネル２７は、作業者が各種情報を入力する入力手段であり、作業者は、液晶パネル２６に表示される入力指示画面に応じて各種情報の入力を行う。タッチパネル２７からの入力に応じた各種情報は、後述するＲＡＭ１０２に記憶される。尚、操作部の構成は、これに限られず、例えば、ＬＥＤ等から成る表示手段と入力キー等から成る入力手段により構成しても良い。
【００４７】
処理部２１は、外面に開閉可能な上面パネル２８及び補給パネル２９を有し、通常のメンテナンスは上面パネル２８を開いて行い、処理液の補充等は、補給パネル２９を開いて行う。また、排紙部３０は、現像処理が終了した感光材料をストックする。
【００４８】
図８に、当該ＤＣＰ作成装置２の制御構成を示す。図８に示すように、当該ＤＣＰ作成装置２は、全体の制御を行う制御部１００を有し、この制御部１００は、ＣＰＵ１０１、ＲＡＭ１０２及びＲＯＭ１０３とから構成されている。当該制御部１００は、Ｉ／Ｏポート１０４、１０５を介して、検出系を構成するセンサ類１０６及び駆動系を構成するアクチュエータ群１０７に接続され、センサ類１０６からの情報に基づいてアクチュエータ群１０７を制御する。
【００４９】
また、操作部については、液晶パネル２６をドライバＤ２０により制御し、これにＤＣＰ作成装置の２の運転状態等を表示する。また、タッチパネル２７からの入力に応じた情報は、Ａ／Ｄ変換部１２０によりデジタル情報としてＣＰＵ１０１に送信される構成となっている。
【００５０】
さらに、当該ＤＣＰ作成装置２は、制御装置１から送信された色版別の網点画像データ、カラーコレクションテーブル、出力指示信号を受信する画像データＩ／Ｆ部２０１を備えている。画像データＩ／Ｆ部２０１は、このラスターイメージフォーマットの色版別の網点画像データを、例えば各色１０本の走査線毎の露光用フォーマットに変換し、データバッファ２０４に蓄積する。このフォーマット変換は、同時に各色１０本の走査線を走査する場合、ラスターイメージフォーマットのビットマップデータの画像データを並べ替え、１０ライン並列に読み出すことにより行う。そして、データバッファ２０４に１枚分のデジタル網点画像データを蓄積した後、以下のようにして、全色同時露光、即ち、マルチ露光を行う。
【００５１】
この際、画素クロック生成部２０３は、ＰＬＬ（ＰＨＡＳＥ  ＬＯＣＫ  LＯＯＰ)回路２０２からの出力に同期させて、データバッファ２０４からデジタル網点画像データを読み出すタイミングを規定する画素クロックを生成する。そして、ＬＵＴ部２０５は、この画素クロックにてデータバッファ２０４からデジタル網点画像データを読み出すと共に、画像データＩ／Ｆ部２０１から送信されたカラーコレクションテーブルを読み出す。
【００５２】
ＬＵＴ部２０５は、さらに、読み出した露光用フォーマットの各色（例えばＣｙａｎ、Ｍａｇｅｎｔａ、Ｙｅｌｌｏｗ、Ｂｌａｃｋ、ＤＣＣ＿４２３＊、ＤＣＣ＿３７６＊）のデジタル網点画像データを、同じく読み出したカラーコレクションテーブルに従ってＢｕｌｅ、Ｒｅｄ、Ｇｒｅｅｎの露光強度データに変換する。その際、画素毎に、Ｃ、Ｍ、Ｙ、ＢＫ等の網点画像データをＢ、Ｒ、Ｇのレーザ強度の組み合わせに変換する。
【００５３】
また、制御部１００のＣＰＵ１０１は、センサ類１０６からの感光材料の先端位置の情報、及び、図示省略のドラム位置を検出するロータリエンコーダからのパルス信号のカウントに基づいて、光学ユニットから射出されるレーザ光の照射位置に感光材料の画像記録領域が存在するか否かを判断する。そして、制御部１００は、この判断に基づき、レーザ光の照射位置に感光材料の画像記録領域が存在する期間は、ＬＵＴ部２０５に、レーザダイオードのレーザ光源３２０、３２１、３２２を駆動するドライバＤ３２０、３２１、３２２に入力される露光強度データが、常にレーザダイオードを発光させるに足りるようにＬＵＴデータの設定制御を行う。これにより、レーザ光照射位置に感光材料の画像記録領域がある期間は、レーザ光源３２０、３２１、３２２のレーザダイオードは、常に発光し、良好な応答性になる。
【００５４】
このような制御の基、ドラムに保持される感光材料に対する各色の網点画像の出力が行われる。その結果、感光材料上には所定の画像が描画される。そして、この画像が描画された感光材料は、印刷物の仕上がりを事前に確認するカラープルーフとして出力される。
【００５５】
［プログラム及びこれを記憶する記録媒体］
尚、当該画像出力システムを構成する制御装置１において行われる処理、具体的には、図３及び図４を参照しつつ説明した（記憶ステップ）、（取得ステップ）、（設定画面表示ステップ）、（照合ステップ）、（出力装置制御ステップ）における処理を当該制御装置１のコンピュータにおいて実行させるためのプログラムは、制御装置１のコンピュータ本体に内蔵、若しくは、接続される記憶媒体に記憶されており、同じくコンピュータ本体に内蔵される演算手段によって、これが読み出されて実行されるものとする。
【００５６】
尚、上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記録媒体＜磁気ディスク＞（ハードディスク／フロッピー（登録商標）ディスク／ＺＩＰ等）等を挙げることができる。
【００５７】
尚、本実施形態における画像出力システム、制御装置、画像出力方法、その方法を実行させるためのプログラム、及び、そのプログラムを記憶した記憶媒体は、本発明の好適な一実施形態を例示したものであり、その他の実施形態を除外するものではない。
【００５８】
例えば、本実施形態においては、作業者が、事前準備として、カラーコレクションテーブル作成部１２により必要なカラーコレクションテーブルを作成する操作を行うことで、その作成されたカラーコレクションテーブルが予めカラーコレクションテーブル記憶部１３に記憶されていることとしたが、この他にも、例えば、作業者が格納部１０に格納された画像データ群の中から出力する画像データを指定する際等に、その都度、カラーコレクションテーブル作成部１２により、必要なカラーコレクションテーブルを作成する操作を行うことで、その作成されたカラーコレクションテーブルがカラーコレクションテーブル記憶部１３に記憶されることとしても良い。尚、カラーコレクションテーブルは、作業者がカラーコレクションテーブル作成部１２により作成することとする他、Ｙ／Ｍ／Ｃ／ＢＫ等の各色版と、これに対応するＤＣＰ作成装置２の露光光源の各色であるＢ／Ｇ／Ｒの出力制御値（光量値）とを組み合わせた各テーブルを用いて、それらを組み合わせることで、任意の色版に対応するテーブルを作成する手段を設けて、当該手段により自動的に作成されることとしても良い。
【００５９】
また、本実施形態においては、カラーコレクションテーブルが制御装置１のカラーコレクションテーブル記憶部１３において記憶されていることとしたが、この他にも、カラーコレクションテーブルは、ＤＣＰ作成装置２のＬＵＴ部２０５に記憶されていることにしても良い。このような場合には、色名称照合部１４は、出力ジョブ指定部１１により指定された画像データを構成する各色版の色名称の文字列と、色名称記憶部１３ａに記憶された各色版の正式な色名称の文字列とを照合して、それらが一致するものがあった場合に、ＤＣＰ作成装置制御部１７が、一致した各色版の正式な色名称に対応するカラーコレクションテーブルを使用する旨の指示信号をＤＣＰ作成装置２に対して送信して、これを受けたＤＣＰ作成装置２では、ＬＵＴ部２０５が、その指示信号に従って該当するカラーコレクションテーブルを使用して、データバッファ２０４から読み出した露光用フォーマットの各色のデジタル網点画像データをＢ、Ｒ、Ｇの露光強度データに変換することになる。
【図面の簡単な説明】
【００６０】
【図１】本発明に係る画像出力システムの一実施形態におけるシステム構成を表す構成図である。
【図２】図１に示す画像出力システムの制御装置の詳細構成を表すブロック図である。
【図３】カラーコレクションテーブルの構成を表す構成図である。
【図４】図２に示す制御装置において行われる事前準備の一連の流れを説明するフローチャートである。
【図５】図２に示す制御装置において行われる一連の画像出力処理の流れを説明するフローチャートである。
【図６】図２に示す制御装置の表示部において表示される指定画面や照合対象外文字設定画面の一実施形態における画面構成を表す構成図である。
【図７】図１に示す画像出力システムのＤＣＰ作成装置の外観を表す構成図である。
【図８】図７に示すＤＣＰ作成装置の制御構成を表すブロック図である。
【符号の説明】
【００６１】
１  制御装置
１０  格納部
１１  出力ジョブ指定部
１２  カラーコレクション作成部
１２ａ  色名称登録部
１３  カラーコレクション記憶部
１３ａ  色名称記憶部
１４  色名称照合部
１５  照合対象外文字設定部
１６  画像データ解析加工部
１７  ＤＣＰ作成装置制御部
２  ＤＣＰ作成装置
【図１】
2005092663.tif 000003
【図２】
2005092663.tif 000004
【図３】
2005092663.tif 000005
【図４】
2005092663.tif 000006
【図５】
2005092663.tif 000007
【図６】
2005092663.tif 000008
【図７】
2005092663.tif 000009
【図８】
2005092663.tif 000010